(57)【特許請求の範囲】
【請求項１】
複数のビデオデータが記録されている記録媒体より所定のビデオデータを再生する再生手段と、
ビデオデータを再生することに対する一時停止およびその一時停止の解除を指示する指示信号が入力される指示信号入力手段と、
第１のビデオデータを再生している状態で上記指示信号入力手段に一時停止を指示する指示信号が入力されるとき、上記第１のビデオデータの再生を停止し、上記記録媒体のマルチアングル領域に上記第１のビデオデータと並行して記録された第２のビデオデータの再生を開始し、上記第２のビデオデータを再生している状態で上記指示信号入力手段に一時停止の解除を指示する指示信号が入力されるとき、上記第２のビデオデータの再生を停止し、上記第１のビデオデータの上記一時停止位置からの再生を再開するように上記再生手段を制御する制御手段と、
上記第２のビデオデータに関する情報を記憶する記憶手段とを備え、
上記記録媒体には、複数の上記マルチアングル領域に上記第２のビデオデータの分割データがそれぞれ記録されることにより、上記第２のビデオデータが不連続に記録されており、
上記記憶手段には、上記第２のビデオデータを構成する各分割データにおける記録位置の情報が格納され、
上記制御手段は、上記第１のビデオデータの再生を停止した位置が上記第１のビデオデータと上記第２のビデオデータとが並行して記録されたマルチアングル領域である場合には、当該停止した位置から上記第２のビデオデータを再生開始するよう上記再生手段を制御し、
また上記制御手段は、上記第１のビデオデータの再生を停止した位置が上記第２のビデオデータが存在しない記録位置である場合には、当該停止した位置と最も近い記録位置に存在する上記分割データを上記記録位置の情報に基づいて判断し、判断された上記分割データの先頭から上記第２のビデオデータを再生開始するよう上記再生手段を制御する、
記録媒体再生装置。
【請求項２】
上記記憶手段は、上記第２のビデオデータを構成する各分割データの次に再生すべき分割データの情報が格納される記憶手段とをさらに備え、
上記再生手段は、
上記第２のビデオデータを再生する際、上記記憶手段に格納されている情報に基づいて、上記第２のビデオデータを構成する各分割データを順次再生していく、請求項１に記載の記録媒体再生装置。
【請求項３】
上記第２のビデオデータは、コマーシャル画像を表示するためのビデオデータであることを特徴とする請求項１に記載の記録媒体再生装置。
【請求項４】
複数のビデオデータが記録されている記録媒体より所定のビデオデータを再生する再生手段と、
ビデオデータを再生することに対する一時停止およびその一時停止の解除を指示する指示信号が入力される指示信号入力手段と、
第１のビデオデータを再生している状態で上記指示信号入力手段に一時停止を指示する指示信号が入力されるとき、上記第１のビデオデータの再生を停止し、上記記録媒体のマルチアングル領域に上記第１のビデオデータと並行して記録された第２のビデオデータの再生を開始し、上記第２のビデオデータを再生している状態で上記指示信号入力手段に一時停止の解除を指示する指示信号が入力されるとき、上記第２のビデオデータの再生を停止し、上記第１のビデオデータの上記一時停止位置からの再生を再開するように上記再生手段を制御する制御手段と、
上記第２のビデオデータに関する情報を記憶する記憶手段とを備え、
上記記録媒体には、複数の上記マルチアングル領域に上記第２のビデオデータの分割データがそれぞれ記録されることにより、上記第２のビデオデータが不連続に記録されており、
上記記憶手段には、上記第２のビデオデータを構成する各分割データにおける記録位置の情報が格納され、
上記制御手段は、上記第１のビデオデータの再生を停止した位置が上記第１のビデオデータと上記第２のビデオデータとが並行して記録されたマルチアングル領域である場合には、当該停止した位置が属するマルチアングル領域に記憶された上記分割データを上記記録位置の情報に基づいて判断し、判断された上記分割データの先頭位置から上記第２のビデオデータを再生開始するよう上記再生手段を制御し、
また上記制御手段は、上記第１のビデオデータの再生を停止した位置が上記第２のビデオデータが存在しない記録位置である場合には、当該停止した位置と最も近い記録位置に存在する上記分割データを上記記録位置の情報に基づいて判断し、判断された上記分割データの先頭から上記第２のビデオデータを再生開始するよう上記再生手段を制御する、
記録媒体再生装置。
【請求項５】
複数のビデオデータが記録されている記録媒体より所定のビデオデータを再生する記録媒体再生方法であって、
第１のビデオデータを再生している状態で一時停止の指示があるとき、上記第１のビデオデータの再生を停止し、
該第1のビデオデータの停止位置に応じて、上記記録媒体のマルチアングル領域に上記第１のビデオデータと並行して記録された第２のビデオデータの再生開始位置を決定し、
決定した上記再生開始位置から上記第2のビデオデータの再生を開始し、
その後、一時停止の解除の指示があるとき、上記第２のビデオデータの再生を停止し、上記第１のビデオデータの上記一時停止位置からの再生を再開し、
上記記録媒体には、複数の上記マルチアングル領域に上記第２のビデオデータの分割データがそれぞれ記録されることにより、上記第２のビデオデータが不連続に記録されており、
上記第１のビデオデータの再生を停止した位置が上記第１のビデオデータと上記第２のビデオデータとが並行して記録されたマルチアングル領域である場合には、上記再生開始位置は、当該停止した位置、又は当該停止した位置が属するマルチアングル領域に記憶された上記分割データの先頭とし、
また上記第１のビデオデータの再生を停止した位置が上記第２のビデオデータが存在しない記録位置である場合には、上記再生開始位置は、当該停止した位置と最も近い記録位置に存在する上記分割データの先頭とする、
記録媒体再生方法。
【発明の詳細な説明】
【０００１】
【発明の属する技術分野】
この発明は、例えばＤＶＤ(Digital Versatile Disc)を取り扱うＤＶＤプレーヤに適用して好適な記録媒体再生装置および記録媒体再生方法に関する。詳しくは、第１のビデオデータを再生している状態で一時停止が指示されるとき第１のビデオデータの再生を停止して、第２のビデオデータの再生を開始し、一時停止の解除が指示されるとき、第２のビデオデータの再生を停止して、第１のビデオデータの再生を再開する構成とすることによって、一時停止中の時間を有効に使用可能とした記録媒体再生装置等に係るものである。
【０００２】
【従来の技術】
近年、ＤＶＤを取り扱うＤＶＤプレーヤが普及しつつある。ＤＶＤには、ビデオデータがＭＰＥＧ２(Moving Picture Experts Group 2)を使って圧縮して記憶されていると共に、オーディオデータがＡＣ３やＭＰＥＧ２オーディオを使って圧縮して記憶されている。そのため、ＤＶＤプレーヤは、ＤＶＤより、高品質の画像や音声を長時間にわたって再生できる。
【０００３】
【発明が解決しようとする課題】
ＤＶＤプレーヤを再生状態として例えば二人で画像や音声を視聴している場合に、一方の人が何らかの用事で席を立つ場合、通常、再生を一時停止し、当該一方の人が戻ってきた後に再生の一時停止を解除し、続きの画像や音声を視聴することとなる。しかしながらこの場合、用事のない他方の人にとっては、一時停止してからその一時停止を解除するまでの間の時間は無駄な時間となる。
そこで、この発明では、上述した不都合を回避し、ＤＶＤプレーヤ等の使い勝手の向上を図ることを目的とする。
【０００４】
【課題を解決するための手段】
この発明に係る記録媒体再生装置は、複数のビデオデータが記録されている記録媒体よりビデオデータを再生する再生手段と、ビデオデータを再生することに対する一時停止およびその一時停止の解除を指示する指示信号が入力される指示信号入力手段と、第１のビデオデータを再生している状態で指示信号入力手段に一時停止を指示する指示信号が入力されるとき、第１のビデオデータの再生を停止し、その第１のビデオデータとは異なる第２のビデオデータの再生を開始し、第２のビデオデータを再生している状態で指示信号入力手段に一時停止の解除を指示する指示信号が入力されるとき、第２のビデオデータの再生を停止し、第１のビデオデータの一時停止位置からの再生を再開するように再生手段を制御する制御手段とを備えるものである。
【０００５】
この発明に係る記録媒体再生方法は、複数のビデオデータが記録されている記録媒体より所定のビデオデータを再生する記録媒体再生方法であって、第１のビデオデータを再生している状態で一時停止の指示があるとき、第１のビデオデータの再生を停止し、この第１のビデオデータとは異なる第２のビデオデータの再生を開始し、その後、一時停止の解除の指示があるとき、第２のビデオデータの再生を停止し、第１のビデオデータの一時停止位置からの再生を再開するものである。
【０００６】
この発明において、第１のビデオデータを再生している状態で、一時停止が指示されるとき、この第１のビデオデータの再生が停止され、この第１のビデオデータとは異なる第２のビデオデータの再生が開始される。例えば、第１のビデオデータはコンテンツ本編のビデオデータであり、第２のビデオデータはコマーシャル画像を表示するためのビデオデータである。なお、第２のビデオデータとしては、コマーシャル画像を表示するためのビデオデータに限定されない。例えば、第１のビデオデータを捕捉するビデオデータ等、第１のビデオデータに関連したビデオデータが考えられる。
【０００７】
例えば、記録媒体には、第２のビデオデータが不連続に記録されている。記録媒体がＤＶＤである場合、第２のビデオデータは、例えばマルチアングル領域における所定のアングル部分に記録される。この場合、マルチアングル領域には、第１のビデオデータと第２のビデオデータとが並行して記録されていることとなる。
【０００８】
記録媒体に不連続に記録された第２のビデオデータを構成する各分割データにおける記録位置および次に再生すべき分割データの情報が記憶手段に格納される。この情報は、例えば記録媒体より再生される。第２のビデオデータを再生する際、記憶手段に格納されている情報に基づいて、第２のビデオデータを構成する各分割データが順次再生されていく。第２のビデオデータがコマーシャル画像を表示するためのビデオデータである場合、第２のビデオデータを構成する各分割データによってそれぞれ異なるコマーシャル画像が表示される。
【０００９】
例えば、再生停止時に再生されていた記録媒体の記録位置を停止位置とし、この停止位置が第１のビデオデータと上記第２のビデオデータとが並行して存在する記録媒体の記録位置にあったとき、当該停止位置から第２のビデオデータの再生が開始される。この場合、第２のビデオデータの再生開始位置をサーチする必要がなく、直ちに第２のビデオデータを再生することが可能となる。
【００１０】
また例えば、再生停止時に再生されていた記録媒体の記録位置を停止位置とし、この停止位置が第１のビデオデータと第２のビデオデータとが並行して存在する記録媒体の記録位置にあったとき、記憶手段に格納されている情報に基づいて、停止位置に対応して記録されている第２のビデオデータを構成する分割データの先頭から第２のビデオデータの再生が開始される。この場合、分割データによる画像、例えばコマーシャル画像を最初から表示することが可能となる。
【００１１】
また例えば、再生停止時に再生されていた記録媒体の記録位置を停止位置とし、この停止位置が第２のビデオデータが存在しない記録媒体の記録位置にあったとき、記憶手段に格納されている情報に基づいて、停止位置に最も近い記録位置に存在する第２のビデオデータを構成する分割データの先頭から第２のビデオデータの再生が開始される。この場合、停止位置に近い記録位置に存在する第２のビデオデータが停止位置近傍に記録されている第１のビデオデータに関連しているものとすれば、その第２のビデオデータを先頭から再生することが可能となる。
【００１２】
また例えば、記録媒体に記録された第２のビデオデータを構成する各分割データのそれぞれが記録媒体に記録された第１のビデオデータの複数の記録区間に対応しており、その対応関係および上記各分割データの記録位置の情報が記憶手段に格納される場合、再生停止時に再生されていた記録媒体の記録位置を停止位置とし、記憶手段に格納された情報に基づいて、その停止位置に対応した第２のビデオデータを構成する分割データの先頭から第２のビデオデータの再生が開始される。この場合、停止位置近傍に記録されている第１のビデオデータに関連している第２のビデオデータを再生することが可能となる。
【００１３】
第２のビデオデータが再生されいる状態で、一時停止の解除が指示されるとき、この第２のビデオデータの再生が停止され、一時停止位置から第１のビデオデータの再生が再開される。
このように、第１のビデオデータが再生されている状態で一時停止が指示されるとき第１のビデオデータの再生に代わって第２のビデオデータの再生が開始され、この第２のビデオデータが再生されている状態で一時停止の解除が指示されるとき第２のビデオデータの再生に代わって、一時停止位置から第１のビデオデータの再生が再開される。
【００１４】
これにより、例えば二人で視聴する場合に、一方の人が何らかの用事で席を立つ際に一時停止操作をすることで、他の人は第２のビデオデータによる画像を見ることができ、時間の無駄を回避できる。また、一方の人が戻ってきた際に一時停止の解除操作をすることで、一時停止位置から第１のビデオデータによる画像を再び見ることができる。
【００１５】
【発明の実施の形態】
以下、図面を参照しながら、この発明の実施の形態について説明する。図１は、インターネット機能を有するＤＶＤプレーヤ１００の構成を示している。
このＤＶＤプレーヤ１００で取り扱うＤＶＤ１０１には、複数箇所、ここでは３箇所のマルチアングル領域ＴＭＡ１〜ＴＭＡ３が設定されている。図２は、このマルチアングル領域ＴＭＡ１〜ＴＭＡ３に記録されているビデオデータを模式的に表したものである。ここでは、マルチアングル領域ＴＭＡ１〜ＴＭＡ３には５アングル分の領域が設けられている。
【００１６】
この５アングル分の領域のうち、３アングル分の領域に関しては、コンテンツ本編のビデオデータを構成する３アングル分のビデオデータが記録され、本来の用途で使用されるが、残りの２アングル分の領域に関しては、コンテンツ本編のビデオデータとは異なる、コマーシャル画像を表示するためのビデオデータが記録されている。
【００１７】
マルチアングル領域ＴＭＡ１のアングル４の領域には第１のコマーシャル画像を表示するためのビデオデータＣＭ１が記録され、マルチアングル領域ＴＭＡ１のアングル５の領域には第２、第３のコマーシャル画像を表示するためのビデオデータＣＭ２，ＣＭ３が記録され、マルチアングル領域ＴＭＡ２のアングル４の領域には第４のコマーシャル画像を表示するためのビデオデータＣＭ４が記録され、マルチアングル領域ＴＭＡ２のアングル５の領域には第５のコマーシャル画像を表示するためのビデオデータＣＭ５が記録され、マルチアングル領域ＴＭＡ３のアングル４の領域には第６、第７、第８のコマーシャル画像を表示するためのビデオデータＣＭ６，ＣＭ７，ＣＭ８が記録され、さらにマルチアングル領域ＴＭＡ３のアングル５の領域には第９のコマーシャル画像を表示するためのビデオデータＣＭ９が記録されている。
【００１８】
また、このＤＶＤプレーヤ１００で取り扱うＤＶＤ１０１のメニュー領域には、図３に示すように、上述したマルチアングル領域ＴＭＡ１〜ＴＭＡ３に記録されているコマーシャル画像を表示するためのビデオデータＣＭ１〜ＣＭ９に関する情報がテーブル情報として記録されている。このテーブル情報は、各ビデオデータＣＭ１〜ＣＭ９に対応した、記録位置の情報、タイトルの情報ＴＬCM1〜ＴＬCM9、コマーシャル内容の情報（テキストデータやグラフィックデータ）、対応するＵＲＬ（Uniform Resource Locator)の情報、さらに続いて再生すべきビデオデータの情報からなっている。このようにＤＶＤ１０１のメニュー領域に記録されているテーブル情報は、ＤＶＤ１０１をＤＶＤプレーヤ１００に装着した際にメニュー領域から再生され、例えば後述するシステムコントローラ１０５内のメモリに格納される。
【００１９】
図１に戻って、ＤＶＤプレーヤ１００は、マイクロコンピュータを備えてなり、プレーヤ全体の動作を制御するシステムコントローラ１０５を有している。このシステムコントローラ１０５には、例えば液晶表示素子を用いて構成され、プレーヤの動作状態等を表示する表示部１１８と、ユーザ操作のための種々の操作ボタン等が配された操作部１１９とが接続されている。この操作部１１９には、再生の一時停止およびその一時停止の解除を指示するための一時停止ボタン、コマーシャル画像の表示を指示するためのＣＭボタン、マルチアングル領域で再生されるアングルを順次変更するためのマルチアングルボタン、インターネットへの接続を操作するインターネットボタン等も含まれている。
【００２０】
また、ＤＶＤプレーヤ１００は、ＤＶＤ１０１を回転駆動するためのスピンドルモータ１０２と、半導体レーザ、対物レンズ、光検出器等から構成される光ピックアップ１０３と、この光ピックアップ１０３をＤＶＤ１０１の半径方向（ラジアル方向）に移動させるための送りモータ１０４とを有している。この場合、光ピックアップ１０３を構成する半導体レーザからのレーザビームがＤＶＤ１０１の記録面に照射され、その反射光が光ピックアップ１０３を構成する複数の光検出器（４分割フォトディテクタ）に照射される。
【００２１】
また、サーボ制御回路１０６を有している。サーボ制御回路１０６によって、光ピックアップ１０３におけるトラッキングやフォーカスが制御され、また送りモータ１０４の動作が制御される。さらに、サーボ制御回路１０６によってスピンドルモータ１０２の回転が制御され、ＤＶＤ１０１の再生時には、このＤＶＤ１０１がＣＬＶ(Constant Linear Velocity)で回転駆動される。
【００２２】
また、ＤＶＤプレーヤ１００は、光ピックアップ１０３の複数の光検出器の出力信号を演算増幅して、再生ＲＦ信号、非点収差方式によるフォーカスエラー信号、位相差方式によるトラッキングエラー信号を作成するＲＦアンプ部１０７を有している。このＲＦアンプ部１０７で作成されるフォーカスエラー信号およびトラッキングエラー信号はサーボ制御回路１０６に供給され、サーボ制御回路１０６では、これらのエラー信号を用いて、上述したように光ピックアップ１０３におけるトラッキングやフォーカスを制御する。なお、このＲＦアンプ部１０７は、光ピックアップ１０３を構成する半導体レーザのパワー制御機能も備えている。
【００２３】
また、ＤＶＤプレーヤ１００は、ＲＦアンプ部１０７で作成された再生ＲＦ信号の２値化スライス、その後のＰＬＬ(Phase-Locked Loop)による同期データの生成等、一連のアナログ信号処理を行うリードチャネル部１０８を有している。なお、このリードチャネル部１０８は、ＣＬＶ制御信号の生成などの機能も備えている。このＣＬＶ制御信号はサーボ制御回路１０６に供給され、サーボ制御回路１０６では、このＣＬＶ制御信号を用いて、上述したようにスピンドルモータ１０２の回転を制御する。
【００２４】
また、ＤＶＤプレーヤ１００は、リードチャネル部１０８で生成された同期データ（８／１６変調データ）の復調、その後の誤り訂正等の処理を行う復調／ＥＣＣ部１０９と、ＲＡＭ１１０をバッファメモリとして使用し、復調／ＥＣＣ部１０９の出力データを後段の処理回路が要求するデータレートで出力するＶＢＲ(Variable Bit Rate）制御部１１１とを有している。このＶＢＲ制御部１１１までが、フロントエンドを構成している。
【００２５】
また、ＤＶＤプレーヤ１００は、ＤＶＤ処理機能およびインターネット処理機能を備える集積回路１２０を有している。ここで、ＤＶＤ処理機能は、ＤＶＤ１０１の再生データを処理する機能である。一方、インターネット処理機能は、後述するインターネットに接続された通信回線で取得された情報（インターネット情報）を処理する機能である。
【００２６】
集積回路１２０の構成を説明する。この集積回路１２０は、集積回路内の各回路の動作を制御するＣＰＵ(Central Processing Unit)１２１を有している。このＣＰＵ１２１は、内部バス１２２に接続されていると共に、上述したシステムコントローラとしてのＣＰＵ１０５と通信可能に接続されている。
【００２７】
また、集積回路１２０は、ＶＢＲ制御部１１１より出力されるデータストリームにかけられているコピーガードのためのスクランブルを解除するデスクランブラ１２３と、このデスクランブラ１２３でスクランブルが解除されたデータストリームより、ビデオデータ、オーディオデータ、サブピクチャデータ等を分離するデマルチプレクサ１２４を有している。
【００２８】
また、集積回路１２０は、上述したＤＶＤ１０１の再生データを処理するための動作プログラムやインターネット情報を処理（デコード処理、ブラウジング処理等）するための動作プログラムが格納されたＲＯＭ(Read Only Memory)１１２を外付けするためのＲＯＭインタフェース１２５と、ＣＰＵ１２１の制御に伴って生成されるデータを格納したり、ワーキングエリアとして用いられるＲＡＭ(Random Access Memory)１１３を外付けするためのＲＡＭインタフェース１２６と、電話回線を介してインターネットに接続するためのモデム１１４を外付けするためのモデムインタフェース１２７とを有している。インタフェース１２５，１２６，１２７はそれぞれ内部バス１２２に接続されている。
【００２９】
また、集積回路１２０は、ＤＶＤ処理モード時に、デマルチプレクサ１２４より得られる圧縮ビデオデータ（ＭＰＥＧ２ビデオデータ）に対して伸長処理等を行ったり、インターネット処理モード時に、インターネット情報を処理して所定ＷｅｂサイトのＷｅｂページを表示するためのビデオデータを得る処理等を行うビデオプロセッサ１２９を有している。このビデオプロセッサ１２９は内部バス１２２に接続されている。なお、インターネット情報を処理して所定ＷｅｂサイトのＷｅｂページを表示するためのビデオデータを得る処理の一部または全部がＣＰＵ１２１で行われるようにしてもよい。
【００３０】
また、集積回路１２０は、ＤＶＤ処理モード時に、デマルチプレクサ１２４より得られるサブピクチャデータを処理して字幕等を表示するための表示データを得るためのサブピクチャデコーダ１３０と、上述したビデオプロセッサ１２９より出力されるビデオデータにサブピクチャデコーダ１３０より出力される表示データを合成する合成器１３１と、この合成器１３１より出力されるビデオデータを使用して例えばＮＴＳＣ方式の映像データを生成し、その後この映像データをアナログ信号に変換して映像信号ＳＶを得、この映像信号ＳＶを外部のビデオ出力端子１１５に出力するＴＶエンコーダ／ＤＡＣ１３２を有している。ビデオプロセッサ１２９およびサブピクチャデコーダ１３０は、それぞれ内部バス１２２に接続されている。
【００３１】
また、集積回路１２０は、ＯＳＤ(On Screen Display)回路１３３を有している。このＯＳＤ回路１３３より出力される表示データはＴＶエンコーダ／ＤＡＣ１３２に供給され、合成器１３１からのビデオデータに合成される。これにより、ＯＳＤ回路１３３より出力される表示データによるＯＳＤ表示が可能となっている。このＯＳＤ回路１３３は内部バス１２２に接続され、その動作はＣＰＵ１２１によって制御される。
【００３２】
また、集積回路１２０は、ＤＶＤ処理モード時に、デマルチプレクサ１２４より得られるオーディオデータ（ＡＣ−３データ、ＭＰＥＧ２オーディオデータ等）に対して伸長処理等を行ったり、インターネット処理モード時に、インターネット情報を処理して所定ＷｅｂサイトのＷｅｂページに係るオーディオデータを得、このオーディオデータを外部のＤ／Ａコンバータ１１６に供給するオーディオプロセッサ１３４を有している。なお、インターネット情報に係るオーディオデータを得る処理の一部または全部がＣＰＵ１２１で行われるようにしてもよい。Ｄ／Ａコンバータ１１６より出力されるアナログの音声信号ＳＡはオーディオ出力端子１１７に出力される。
【００３３】
図１に示すＤＶＤプレーヤ１００の動作を説明する。
ユーザの操作部１１９の操作によってＤＶＤ再生が指示された場合について述べる。その場合、システムコントローラ１０５より集積回路１２０のＣＰＵ１２１にＤＶＤ再生の情報が供給され、集積回路１２０はＤＶＤ処理モードとなる。
【００３４】
この場合、サーボ制御回路１０６の制御によってスピンドルモータ１０２の回転が開始され、ＤＶＤ１０１がＣＬＶで回転駆動され、再生が開始される。このＤＶＤ１０１の再生状態でＲＦアンプ部１０７より得られる再生ＲＦ信号はリードチャネル部１０８に供給され、このリードチャネル部１０８で２値化スライス処理、ＰＬＬによる同期データの生成処理等が行われる。リードチャネル部１０８より出力される同期データは復調／ＥＣＣ部１０９に供給され、この復調／ＥＣＣ部１０９で復調処理および誤り訂正処理が行われる。そして、この復調／ＥＣＣ部１０９からのデータストリームが、ＶＢＲ制御部１１１を通じて、所定のデータレートで集積回路１２０のデスクランブラ１２３に供給される。
【００３５】
デスクランブラ１２３ではデータストリームにかけられているスクランブルが解除され、スクランブルが解除されたデータストリームはデマルチプレクサ１２４に供給される。このデマルチプレクサ１２４では、データストリームより、ビデオデータ、オーディオデータ、サブピクチャデータ等の分離が行われる。
【００３６】
そして、デマルチプレクサ１２４で分離されたビデオデータ（ＭＰＥＧ２ビデオデータ）はビデオプロセッサ１２９に供給されて伸長処理が施される。そして、このビデオプロセッサ１２９より出力されるビデオデータが合成器１３１を介してＴＶエンコーダ／ＤＡＣ１３２に供給され、ビデオ出力端子１１５には例えばＤＶＤ１０１の再生信号に係るＮＴＳＣ方式の映像信号ＳＶが出力される。この映像信号ＳＶをモニタ（図示せず）に供給することで、モニタに再生画像が表示される。
【００３７】
なお、ＤＶＤ１０１の現在再生している記録位置を現在位置とし、この現在位置がマルチアングル領域にある場合、モニタの画面にマルチアングル領域にある旨の表示が文字または図形によって表示される。この場合、ＯＳＤ回路１３３からその表示を行うための表示データがＴＶエンコーダ／ＤＡＣ１３２に供給され、合成器１３１からのビデオデータに合成される。この表示によって、ユーザは現在位置がマルチアングル領域にあることを知ることができる。そして、ユーザは、操作部１１９のマルチアングルボタンの押し下げをして、再生されるアングルを順に変更できる。
【００３８】
本実施の形態においては、マルチアングル領域ＴＭＡ１〜ＴＭＡ３には、コンテンツ本編のビデオデータとして、アングル１〜アングル３のビデオデータが存在する（図２参照）。したがって、マルチアングルボタンの押し下げにより、アングル１→アングル２→アングル３→アングル１→・・・のように順次アングルを変更できる。
【００３９】
また、デマルチプレクサ１２４で分離されたサブピクチャデータはサブピクチャデコーダ１３０に供給される。そして、ユーザの操作部１１９の操作に基づいて、このサブピクチャデコーダ１３０でデコード処理が行われ、字幕等を表示するための表示データが作成される。この表示データは合成器１３１でビデオプロセッサ１２９からのビデオデータに合成されるので、上述した再生画像に字幕等が重ねて表示される。
【００４０】
また、デマルチプレクサ１２４で分離されたオーディオデータ（ＡＣ−３データ等）はオーディオプロセッサ１３４に供給されて処理される。そして、このオーディオプロセッサ１３４より出力されるオーディオデータが外部のＤ／Ａコンバータ１１６に供給されてアナログ音声信号ＳＡとされ、この音声信号ＳＡがオーディオ出力端子１１７に出力される。この音声信号ＳＡを増幅してスピーカ（図示せず）に供給することで、再生音声（ＤＶＤ音声）が出力される。
【００４１】
次に、ユーザの操作部１１９の操作によってインターネット接続が指示された場合について述べる。その場合、システムコントローラ１０５より集積回路１２０のＣＰＵ１２１にインターネット接続の情報が供給され、集積回路１２０はインターネット処理モードとなる。
【００４２】
この場合、集積回路１２０のＣＰＵ１２１は、ブラウザを起動すると共に、モデム１１４よりダイヤルアップしてインターネットの接続サービスを提供する所定のプロバイダ（ＩＳＰ：Internet Service Provider）との回線を接続する。そして、インターネットの設定されたＵＲＬ(Uniform Resource Locator)のＷｅｂサイトにアクセスする。これにより、当該Ｗｅｂサイトに係るＷｅｂページの情報がダウンロードされてモデム１１４よりＣＰＵ１２１に供給される。
【００４３】
このダウンロードされた情報がＣＰＵ１２１やビデオプロセッサ１２９で処理され、所定ＷｅｂサイトのＷｅｂページを表示するためのビデオデータが得られる。このビデオデータはビデオプロセッサ１２９より出力され、合成器１３１を介してＴＶエンコーダ／ＤＡＣ１３２に供給され、ビデオ出力端子１１５には所定ＷｅｂサイトのＷｅｂページに係るＮＴＳＣ方式の映像信号ＳＶが出力される。この映像信号ＳＶをモニタ（図示せず）に供給することで、モニタに所定ＷｅｂサイトのＷｅｂページに係る画像が表示される。
【００４４】
また、ダウンロードされた情報に音声情報があるときは、ＣＰＵ１２１やオーディオプロセッサ１３４で処理され、所定ＷｅｂサイトのＷｅｂページに係るオーディオデータが得られる。このオーディオデータはオーディオプロセッサ１３４より出力され、Ｄ／Ａコンバータ１１６でアナログ音声信号ＳＡとされて、オーディオ出力端子１１７に出力される。この音声信号ＳＡを増幅してスピーカ（図示せず）に供給することで、所定ＷｅｂサイトのＷｅｂページに係る音声（インターネット音声）が出力される。
【００４５】
次に、ＤＶＤ１０１が再生されている状態で、操作部１１９の一時停止ボタンの押し下げがあった場合のシステムコントローラ１０５の制御動作を、図４、図５のフローチャートを使用して説明する。
【００４６】
ステップＳＴ１で、一時停止ボタンの押し下げがあると、ステップＳＴ２で、ＤＶＤの再生画面上に、「ＣＭを見ますか？」の表示をするように制御する。この場合、ＯＳＤ回路１３３からその表示を行うための表示データがＴＶエンコーダ／ＤＡＣ１３２に供給され、合成器１３１からのビデオデータに合成される。この表示に基づいて、ユーザは、操作部１１９の所定のボタンを使用して、ＹＥＳ操作あるいはＮＯ操作を行うこととなる。なお、このような操作を予め行っておき、その情報をシステムコントローラ１０５内のメモリに記憶しておくようにしてもよい。
【００４７】
次に、ステップＳＴ３で、ＹＥＳ操作であるか、ＮＯ操作であるかを判定する。ＮＯ操作であるときは、ステップＳＴ４で、ＤＶＤ１０１の再生（コンテンツ本編の再生）を停止し、ステップＳＴ５で、再生停止時に再生されていたＤＶＤ１０１の記録位置を停止位置とし、その停止位置の情報をシステムコントローラ１０５内のメモリに記憶する。そして、ステップＳＴ６で、静止画の出力を開始する。この場合、ビデオプロセッサ１２９から、再生停止直前の１フレーム分のビデオデータが繰り返し出力される状態となる。
【００４８】
次に、ステップＳＴ７で、一時停止ボタンの押し下げ、つまり一時停止の解除指示があったか否かを判定する。一時停止ボタンの押し下げがあるまで、静止画の出力状態を保持する。一時停止ボタンの押し下げがあったときは、ステップＳＴ８で、システムコントローラ１０５内のメモリに記憶されている位置情報から、サーボ制御回路１０６を制御して、停止位置をサーチする。そして、ステップＳＴ９で、サーチされた停止位置から、ＤＶＤ１０１の再生（コンテンツ本編の再生）を再開し、ステップＳＴ１０で、一時停止ボタンの押し下げに伴う制御動作を終了する。
【００４９】
また、上述のステップＳＴ３で、ＹＥＳ操作であるときは、ステップＳＴ１１で、ＤＶＤ１０１の再生（コンテンツ本編の再生）を停止し、ステップＳＴ１２で、再生停止時に再生されていたＤＶＤ１０１の記録位置を停止位置とし、その停止位置の情報をシステムコントローラ１０５内のメモリに記憶する。
【００５０】
そして、ステップＳＴ１３で、停止位置がマルチアングル領域にあるか否かを判定する。停止位置がマルチアングル領域にあるときは、ステップＳＴ１４で、その停止位置から直ちにコマーシャル画像を表示するためのビデオデータの再生を開始する。この場合、サーチをする必要がなく、コマーシャル画像を表示するためのビデオデータの再生に直ちに入ることができ、シームレスの再生が可能となる。
【００５１】
例えば、図６に示すように、停止位置ｔ１がマルチアングル領域ＴＭＡ１内にあるときは、このマルチアングル領域ＴＭＡ１のアングル４の領域に記録されてるコマーシャル画像を表示するためのビデオデータＣＭ１が、その停止位置から再生される。以後、一時停止ボタンの押し下げ、つまり一時停止解除の指示があるまで、コマーシャル画像を表示するためのビデオデータの再生を継続する。
【００５２】
この場合、ビデオデータＣＭ１の再生が終了した後は、マルチアングル領域ＴＭＡ１のアングル５の領域に記録されてるコマーシャル画像を表示するためのビデオデータＣＭ２，ＣＭ３が順次再生され、以下、システムコントローラ１０５内のメモリに格納されているテーブル情報（図３参照）内の次に再生すべきビデオデータの情報が参照され、ＣＭ４→ＣＭ５→ＣＭ６→ＣＭ７→ＣＭ８→ＣＭ９→ＣＭ１→のように順次再生されていく。
【００５３】
このようにコマーシャル画像を表示するためのビデオデータの再生が行われている状態では、出力端子１１５にはそのビデオデータに対応した映像信号ＳＶが出力される。この映像信号ＳＶをモニタ（図示せず）に供給することで、モニタにコマーシャル画像が表示される。なおこの場合、音声は例えばミューティング状態におかれる。
【００５４】
一方、停止位置がマルチアングル領域にないときは、ステップＳＴ１５で、テーブル情報（図３参照）に基づいて、その停止位置から最も近い記録位置に存在するコマーシャル画像を表示するためのビデオデータを認識し、そのビデオデータの先頭から再生を開始する。この場合、その先頭のサーチが行われ、サーチ終了後に再生を開始する。以後、一時停止ボタンの押し下げ、つまり一時停止解除の指示があるまで、コマーシャル画像を表示するためのビデオデータの再生を継続する。
【００５５】
例えば、図７に示すように、停止位置ｔ３がマルチアングル領域ＴＭＡ１とマルチアングル領域ＴＭＡ２の間にあり、マルチアングル領域ＴＭＡ１に近いときは、マルチアングル領域ＴＭＡ１のアングル４の領域に記録されてるコマーシャル画像を表示するためのビデオデータＣＭ１が、その先頭から再生される。以後、一時停止ボタンの押し下げ、つまり一時停止解除の指示があるまで、コマーシャル画像を表示するためのビデオデータの再生が継続される。
【００５６】
この場合、ビデオデータＣＭ１の再生が終了した後は、マルチアングル領域ＴＭＡ１のアングル５の領域に記録されてるコマーシャル画像を表示するためのビデオデータＣＭ２，ＣＭ３が順次再生され、以下、システムコントローラ１０５内のメモリに格納されているテーブル情報（図３参照）内の次に再生すべきビデオデータの情報が参照され、ＣＭ４→ＣＭ５→ＣＭ６→ＣＭ７→ＣＭ８→ＣＭ９→ＣＭ１→のように順次再生されていく。
【００５７】
次に、ステップＳＴ１６で、インターネットボタンの押し下げがあるか否かを判定し、このインターネットボタンの押し下げがないときは、ステップＳＴ１７で、一時停止ボタンの押し下げがあるか否かを判定し、さらに一時停止ボタンの押し下げがないときは、ステップＳＴ１８で、マルチアングルボタンの押し下げがあるか否かを判定する。
【００５８】
ステップＳＴ１８で、マルチアングルボタンの押し下げがあるときは、ステップＳＴ１９で、コマーシャル画像を表示するためのあるビデオデータの再生から同一時間帯にあるコマーシャル画像を表示するための他のビデオデータの再生にシームレスに移行し、ステップＳＴ１６に戻る。例えば、マルチアングル領域ＴＭＡ１の後半からビデオデータＣＭ１を再生している状態で、マルチアングルボタンの押し下げがあるときは、直ちにビデオデータＣＭ３の再生に移行する（図５参照）。
【００５９】
ステップＳＴ１７で、一時停止ボタンが押されたときは、ステップＳＴ８で、システムコントローラ１０５内のメモリに記憶されている位置情報から、サーボ制御回路１０６を制御して、停止位置をサーチする。そして、ステップＳＴ９で、サーチされた停止位置から、コンテンツ本編の再生を再開し、ステップＳＴ１０で、一時停止ボタンの押し下げに伴う制御動作を終了する。
【００６０】
例えば、図６に示すように、マルチアングル領域ＴＭＡ２のアングル４の領域に記録されているビデオデータＣＭ４の再生状態にあって、記録位置ｔ２で一時停止ボタンの押し下げがあるときは、ビデオデータＣＭ４の再生を停止し、マルチアングル領域ＴＭＡ１内の停止位置ｔ１をサーチし、この停止位置ｔ１からコンテンツ本編の再生を再開する。また例えば、図７に示すように、マルチアングル領域ＴＭＡ２のアングル４の領域に記録されているビデオデータＣＭ４の再生状態にあって、記録位置ｔ４で一時停止ボタンの押し下げがあるときは、ビデオデータＣＭ４の再生を停止し、マルチアングル領域ＴＭＡ１とマルチアングル領域ＴＭＡ２との間の停止位置ｔ３をサーチし、この停止位置ｔ３からコンテンツ本編の再生を再開する。
【００６１】
また、ステップＳＴ１６で、インターネットボタンの押し下げがあるときは、ステップＳＴ２１に進む。ユーザがコマーシャル画像を見ていて、インターネットによるオンラインショッピングや詳細データの取得を行いたい場合には、インターネットボタンの押し下げを行う。ステップＳＴ２１では、コマーシャル画像を表示するためのビデオデータの再生を停止する。そして、ステップＳＴ２２で、その停止位置（ＣＭ停止位置）の情報をシステムコントローラ１０５内のメモリに記憶する。
【００６２】
次に、ステップＳＴ２３で、集積回路１２０をインターネット接続モードとし、ブラウザを起動すると共に、モデム１１４よりダイヤルアップしてインターネットの接続サービスを提供する所定のプロバイダ（ＩＳＰ：Internet Service Provider）との回線を接続する。そして、ステップＳＴ２４で、システムコントローラ１０５内のメモリに格納されているテーブル情報（図３参照）のうち、再生していたコマーシャル画像を表示するためのビデオデータに対応したＵＲＬを取得し、そのＵＲＬのＷｅｂサイト（対象Ｗｅｂサイト）にアクセスする。
【００６３】
これにより、当該Ｗｅｂサイトに係るＷｅｂページの情報がダウンロードされてモデム１１４よりＣＰＵ１２１に供給される。このダウンロードされた情報がＣＰＵ１２１やビデオプロセッサ１２９で処理され、対象ＷｅｂサイトのＷｅｂページを表示するためのビデオデータが得られる。このビデオデータはビデオプロセッサ１２９より出力され、合成器１３１を介してＴＶエンコーダ／ＤＡＣ１３２に供給され、ビデオ出力端子１１５には対象ＷｅｂサイトのＷｅｂページに係るＮＴＳＣ方式の映像信号ＳＶが出力される。この映像信号ＳＶをモニタ（図示せず）に供給することで、モニタに対象ＷｅｂサイトのＷｅｂページに係る画像が表示される。
【００６４】
次に、ステップＳＴ２５で、ユーザの操作部１１９の操作に基づいて、オンラインショッピングや詳細データの取得等の処理をし、その処理が終了したとき、ステップＳＴ２６で、ブラウザを閉じ、集積回路１２０を再びＤＶＤ再生モードとする。そして、ステップＳＴ２７で、システムコントローラ１０５内のメモリに記憶されている位置情報から、サーボ制御回路１０６を制御して、ＣＭ停止位置をサーチし、ステップＳＴ２８で、サーチされたＣＭ停止位置から、コマーシャル画像を表示するためのビデオデータの再生を再開し、ステップＳＴ１６に戻る。
【００６５】
次に、ＤＶＤ１０１の再生（コンテンツ本編の再生）が行われている状態、あるいは再生が行われていない状態で、操作部１１９のＣＭボタンの押し下げがあった場合のシステムコントローラ１０５の制御動作を、図８のフローチャートを使用して説明する。
【００６６】
ステップＳＴ３１で、ＣＭボタンの押し下げがあると、ステップＳＴ３２で、ＤＶＤ１０１の再生（コンテンツ本編の再生）が行われているか否かを判定する。ＤＶＤ１０１の再生が行われているときは、ステップＳＴ３３で、ＤＶＤ１０１の再生を停止し、ステップＳＴ３４で、再生停止時に再生されていたＤＶＤ１０１の記録位置を停止位置とし、その停止位置の情報をシステムコントローラ１０５内のメモリに記憶する。その後に、ステップＳＴ３５に進む。ステップＳＴ３２で、ＤＶＤ１０１の再生が行われていないときは、直ちにステップＳＴ３５に進む。
【００６７】
ステップＳＴ３５では、コマーシャル画像のメニュー画面を表示する。すなわち、システムコントローラ１０５内のメモリに格納されているテーブル情報（図３参照）のうち、内容の情報に基づいて、テキストデータによるメニュー画面あるいはグラフィカルデータによるメニュー画面を表示する。この場合、ＯＳＤ回路１３３からその表示を行うための表示データがＴＶエンコーダ／ＤＡＣ１３２に供給され、ビデオ出力端子１１５にはメニュー画面を表示するための映像信号ＳＶが出力される。したがって、このビデオ出力端子１１５に接続されるモニタには、コマーシャルのメニュー画面が表示される。図９は、テキストデータによるメニュー画面の一例を示している。
【００６８】
ユーザは、このようにメニュー画面が表示されている状態で、操作部１１９を操作して、希望するコマーシャルを画像を選択できる。なお、図９において、例えば、「next」を選択する場合には、メニュー画面の続きが表示される。
【００６９】
ステップＳＴ３６では、コマーシャル画像の選択があったか否かを判定し、コマーシャル画像の選択があったときは、ステップＳＴ３７に進む。このステップＳＴ３７では、上述したテーブル情報（図３参照）のうち、選択されたコマーシャル画像に対応した記録位置の情報に基づいて、サーボ制御回路１０６を制御し、そのコマーシャル画像を表示するためのビデオデータが記録されているＤＶＤ１０１の記録位置をサーチし、その後にそのビデオデータの再生を開始する。
【００７０】
このようにコマーシャル画像を表示するためのビデオデータの再生が行われている状態では、出力端子１１５にはそのビデオデータに対応した映像信号ＳＶが出力される。この映像信号ＳＶをモニタ（図示せず）に供給することで、モニタにコマーシャル画像が表示される。なおこの場合、音声は例えばミューティング状態におかれる。
【００７１】
次に、ステップＳＴ３８で、インターネットボタンの押し下げがあるか否かを判定し、このインターネットボタンの押し下げがないときは、ステップＳＴ３９で、ＣＭボタンの押し下げがあるか否かを判定し、さらにＣＭボタンの押し下げがないときは、ステップＳＴ４０で、選択されたコマーシャル画像に対応したビデオデータの再生が終了したか否かを判定する。
【００７２】
ステップＳＴ４０で、選択されたコマーシャル画像に対応したビデオデータの再生が終了したときは、ステップＳＴ３５に戻り、再びメニュー画面の表示をする。ステップＳＴ３９で、ＣＭボタンが押されたときは、ステップＳＴ４１で、コマーシャル画像を表示する前に、ＤＶＤ１０１の再生（コンテンツ本編の再生）が行われていたか否かを判定する。
【００７３】
ＤＶＤ１０１の再生が行われていたときは、ステップＳＴ４２で、システムコントローラ１０５内のメモリに記憶されている位置情報から、サーボ制御回路１０６を制御して、停止位置をサーチする。そして、ステップＳＴ４３で、サーチされた停止位置から、コンテンツ本編の再生を再開し、ステップＳＴ４４で、ＣＭボタンの押し下げに伴う制御動作を終了する。一方、ステップＳＴ４１で、ＤＶＤ１０１の再生が行われていないときは、直ちにステップＳＴ４３に進み、ＤＶＤ１０１の再生が停止されている状態とし、ステップＳＴ４４で、ＣＭボタンの押し下げに伴う制御動作を終了する。
【００７４】
また、ステップＳＴ３８で、インターネットボタンの押し下げがあるときは、ステップＳＴ４５の処理をし、以下ステップＳＴ４６〜ステップＳＴ５２の処理をして、ステップＳＴ３８に戻る。これらステップＳＴ４５〜ステップＳＴ５２の処理は、上述した一時停止ボタンの押し下げ時の動作を示すフローチャートのステップＳＴ２１〜ステップＳＴ２８（図５参照）に対応するものであり、その詳細説明は省略する。
【００７５】
このように、ＣＭボタンの押し下げに伴ってコマーシャル画像が表示される場合にも、対応するＵＲＬのＷｅｂサイトにアクセスし、そのＷｅｂサイトのＷｅｂページの閲覧状態とでき、オンラインショッピングや詳細データの取得が可能となる。
【００７６】
以上説明したように、図１に示すＤＶＤプレーヤ１００においては、ＤＶＤ１０１の再生（コンテンツ本編の再生）が行われている状態で一時停止が指示されるとき、その再生に代わって、コマーシャル画像を表示するためのビデオデータの再生が開始され、またコマーシャル画像を表示するためのビデオデータの再生が行われている状態で一時停止の解除が指示されるときその再生に代わって、一時停止位置からコンテンツ本編のビデオデータの再生が再開されるものであり、ユーザの使い勝手の向上を図ることができる。
【００７７】
例えば二人で視聴する場合に、一方の人が何らかの用事で席を立つ際に一時停止操作をすることで、他の人はコマーシャル画像を見ることができ、時間の無駄を回避できる。また、一方の人が戻ってきた際に一時停止の解除操作をすることで、一時停止位置からコンテンツ本編の画像を再び見ることができる。
【００７８】
また、ＤＶＤ１０１のメニュー領域にテーブル情報（図３参照）記録されており、このＤＶＤ１０１がＤＶＤプレーヤ１００に装着される際にそのテーブル情報が再生されてシステムコントローラ１０５内のメモリに格納される。このテーブル情報に、それぞれ異なるコマーシャル画像を表示するための複数のビデオデータにおける記録位置および次に再生すべきビデオデータの情報が含まれている。したがって、ＤＶＤプレーヤ１００は、その情報に基づいて、複数のマルチアングル領域に亘って記録されている、コマーシャル画像を表示するための複数のビデオデータを続けて再生できる。これにより、ユーザは、複数のコマーシャル画像を連続して見ることができる。
【００７９】
また、一時停止ボタンの操作によるコンテンツ本編のビデオデータの再生停止位置が、コンテンツ本編のビデオデータとコマーシャル画像を表示するためのビデオデータが並行して存在するマルチアングル領域にあったとき、その停止位置からコマーシャル画像を表示するためのビデオデータの再生が開始されるものであり、再生開始位置をサーチする必要がなく、直ちにコマーシャル画像を表示するためのビデオデータの再生を行うことができる。つまり、コンテンツ本編のビデオデータの再生においてアングル変更を行う場合と同様に、シームレスの再生が可能となる。
【００８０】
また、一時停止ボタンの操作によるコンテンツ本編のビデオデータの再生停止位置が、マルチアングル領域でなく、コンテンツ本編のビデオデータしかない領域にあったとき、その停止位置から最も近い記録位置に存在するコマーシャル画像を表示するためのビデオデータを認識し、そのビデオデータの先頭から再生を開始するものである。したがって、この停止位置から最も近い記録位置に存在するコマーシャル画像を表示するためのビデオデータが停止位置近傍のコンテンツ本編のビデオデータに関連しているものとすれば、そのビデオデータを再生することができる。すなわち、コンテンツ本編の再生画像に対応したコマーシャル画像を直ちに見ることができる。
【００８１】
また、ＤＶＤ１０１のメニュー領域にテーブル情報（図３参照）記録されており、このＤＶＤ１０１がＤＶＤプレーヤ１００に装着される際にそのテーブル情報が再生されてシステムコントローラ１０５内のメモリに格納される。このテーブル情報に、それぞれ異なるコマーシャル画像を表示するための複数のビデオデータにおける記録位置および内容の情報が含まれている。したがって、ＤＶＤプレーヤ１００は、ユーザによるＣＭボタンの押し下げがあるとき、その情報に基づいてコマーシャル画像のメニュー画面を表示できる。ユーザは、このメニュー画面により、所望のコマーシャル画像を効率的に選択でき、それを表示するためのコマーシャル画像の再生を指示できる。
【００８２】
また、ＣＭボタンの押し下げがあったとき、コンテンツ本編のビデオデータの再生が行われていた場合には、その再生を停止してコマーシャル画像を表示するための処理に移り、コマーシャル画像を表示するためのビデオデータの再生が終了したとき、コンテンツ本編のビデオデータの再生が停止された位置から、そのコンテンツ本編のビデオデータの再生が再開される。したがって、ユーザは、コンテンツ本編のビデオデータの再生が停止された位置からの再生画像を容易に得ることができる。
【００８３】
また、ＤＶＤ１０１に記録されているコマーシャル画像を表示するための複数のビデオデータが、ＤＶＤ１０１に記録されているコンテンツ本編の内容に関連した内容のコマーシャル画像を表示するためのものであるときは、ユーザは、コンテンツ本編に出てくる車、電化製品、衣服などに興味を覚えた場合、ＣＭボタンの押し下げを行って、コマーシャル画像に係るビデオデータの再生状態とすることで、それら車、電化製品、衣服などの情報を容易に得ることができる。
【００８４】
また、コマーシャル画像の表示状態で、インターネットボタンの押し下げがあるとき、テーブル情報（図３参照）内の対応するＵＲＬの情報を使用して、そのＵＲＬのＷｅｂサイトにアクセスし、そのＷｅｂサイトのＷｅｂページの閲覧状態となるものであり、ユーザは見ていたコマーシャル画像に関連したオンラインショッピングや詳細データの取得を容易に行うことができる。
【００８５】
なお、上述実施の形態においては、一時停止ボタンの操作によるコンテンツ本編のビデオデータの再生停止位置が、コンテンツ本編のビデオデータとコマーシャル画像を表示するためのビデオデータが並行して存在するマルチアングル領域にあったとき、その停止位置からコマーシャル画像を表示するためのビデオデータの再生が開始されるものを示したが、システムコントローラ１０５のメモリに格納されているテーブル情報（図３参照）に基づいて、そのマルチアングル領域に記録されているコマーシャル画像を表示するためのビデオデータをその先頭から再生するようにしてもよい。この場合、再生開始位置のサーチが必要となることからシームレスの再生は出来ないが、コマーシャル画像を最初から表示することができる。
【００８６】
この場合、図１０に示すように、図６の例と同様に、停止位置ｔ１がマルチアングル領域ＴＭＡ１内にあるときは、このマルチアングル領域ＴＭＡ１のアングル４の領域に記録されてるコマーシャル画像を表示するためのビデオデータＣＭ１が、その先頭から再生される。以後、一時停止ボタンの押し下げ、つまり一時停止解除の指示があるまで、コマーシャル画像を表示するためのビデオデータの再生を継続する。
【００８７】
また、上述実施の形態においては、コマーシャル画像を表示するためのビデオデータがマルチアングル領域に記録されるものを示したが、マルチアングル領域以外の領域、例えばメニュー領域や余っている領域に記録するようにしてもよい。その場合、コマーシャル画像を表示するための複数のビデオデータのそれぞれをＤＶＤ１０１のコンテンツ本編のビデオデータの複数の記録区間に対応させ、その対応関係とコマーシャル画像を表示するための複数のビデオデータの記録位置との情報をシステムコントローラ１０５内のメモリに格納しておき、その情報を使用することで、一時停止ボタンの操作によるコンテンツ本編のビデオデータの再生停止位置に対応した、コマーシャル画像を表示するためのビデオデータを、その先頭から再生することができる。
【００８８】
また、上述実施の形態においては、第２のビデオデータがコマーシャル画像を表示するためのビデオデータであったが、この発明はこれに限定されるものではない。第２のビデオデータは、例えば第１のビデオデータを捕捉するビデオデータ等、第１のビデオデータに関連したビデオデータが考えられる。
また、上述実施の形態においては、この発明をＤＶＤプレーヤ１００に適用したものであるが、ＤＶＤ１０１以外の記録媒体を取り扱う再生装置にも同様に適用することができる。
【００８９】
【発明の効果】
この発明によれば、第１のビデオデータを再生している状態で一時停止が指示されるとき第１のビデオデータの再生を停止して、第２のビデオデータの再生を開始し、一時停止の解除が指示されるとき、第２のビデオデータの再生を停止して、第１のビデオデータの再生を再開するものであり、ユーザは一時停止中の時間を有効に使用できる。例えば、第１のビデオデータによる画像（コンテンツ本編の画像）二人で見ている場合、一方の人が何らかの用事で席を立つ際に一時停止操作をすることで、他の人は第２のビデオデータによる画像（例えばコマーシャル画像）を見ることができ、時間の無駄を回避できる。また、一方の人が戻ってきた際に一時停止の解除操作をすることで、一時停止位置から第１のビデオデータによる画像を再び見ることができる。
【図面の簡単な説明】
【図１】実施の形態としてのＤＶＤプレーヤの構成を示すブロック図である。
【図２】マルチアングル領域のビデオデータを模式的に示す図である。
【図３】ＤＶＤのメニュー領域に記録されているテーブル情報の一例を示す図である。
【図４】一時停止ボタンの押し下げ時の動作を示すフローチャート（１／２）である。
【図５】一時停止ボタンの押し下げ時の動作を示すフローチャート（２／２）である。
【図６】一時停止ボタンの押し下げ時の動作例を説明するための図である。
【図７】一時停止ボタンの押し下げ時の動作例を説明するための図である。
【図８】ＣＭボタンの押し下げ時の動作を示すフローチャートである。
【図９】メニュー画面の一例を示す図である。
【図１０】一時停止ボタンの押し下げ時の動作例を説明するための図である。
【符号の説明】
１００  ＤＶＤプレーヤ
１０１  ＤＶＤ
１０３  光ピックアップ
１０５  システムコントローラ
１０６  サーボ制御回路
１０７  ＲＦアンプ部
１０８  リードチャネル部
１０９  復調／ＥＣＣ部
１１１  ＶＢＲ制御部
１１２  ＲＯＭ
１１３  ＲＡＭ
１１４  モデム
１１５  ビデオ出力端子
１１７  オーディオ出力端子
１１８  表示部
１１９  操作部
１２０  集積回路
１２１  ＣＰＵ
１２２  内部バス
１２４  デマルチプレクサ
１２９  ビデオプロセッサ
１３２  ＴＶエンコーダ／ＤＡＣ
１３３  ＯＳＤ回路
１３４  オーディオプロセッサ
【図１】
0004747432.tif 000002
【図２】
0004747432.tif 000003
【図３】
0004747432.tif 000004
【図４】
0004747432.tif 000005
【図５】
0004747432.tif 000006
【図６】
0004747432.tif 000007
【図７】
0004747432.tif 000008
【図８】
0004747432.tif 000009
【図９】
0004747432.tif 000010
【図１０】
0004747432.tif 000011